(57)【特許請求の範囲】
【請求項１】
顔料とワックスと苦味催吐剤としてデナトニウムサッカライド、或いは、デナトニウムベンゾエイトを少なくとも含むことを特徴とする描画材組成物。
【請求項２】
顔料と樹脂とグリセリンと水と苦味催吐剤としてデナトニウムサッカライド、或いは、デナトニウムベンゾエイトを少なくとも含むことを特徴とする描画材組成物。
【請求項３】
描画材全体量に対して苦味催吐剤を０．０３重量％から０．５重量％を含む請求項１、或いは、請求項２に記載の描画材組成物。
【発明の詳細な説明】
【０００１】
【発明の属する技術分野】
本発明は、幼児や児童の誤飲、誤食を防止する為の描画材などの組成物に関するものである。
【０００２】
【従来の技術】
描画材は、くれよん・パスといった所謂固型描画材と、水彩絵の具・ポスターカラーといった絵の具が有る。固型描画材は、顔料、ワックス、その他添加物よりなり、絵の具は、顔料、樹脂、溶剤、その他添加物よりなり、絵を描くことなどに用いられている。
【０００３】
【発明が解決しようとする課題】
日常、幼児や児童の周りには種々の日用品が有るが、特に、玩具や学用品といったものが多い。この玩具や学用品には小さいものや、小さい部品が分離するものが多く有り、何でも口に入れてしまう傾向のある幼児や、ふざけて口の中に入れて遊んだりする児童が、誤って食べたり、飲んだりしてしまうことがある。学用品としては、上記絵の具・クレヨンなどの描画材や、鉛筆、ペン類といったものが有り、絵の具の場合はチューブの中身を、クレヨンや鉛筆の場合はそのままを誤飲・誤食してしまったり、ペン類の場合はキャップなどの小さい部品を誤飲・誤食してしまったりすることがある。このような問題に対して、例えば、キャップに空気の流通孔を設け、咽喉に詰まっても窒息しないようなものが提案されている。しかしながら、誤飲・誤食自体を防止するような提案はなされていない。本発明は、誤飲・誤食自体を防止する物を提供する。
【０００４】
【課題を解決するための手段】
本発明は、顔料とワックスと苦味催吐剤としてデナトニウムサッカライド、或いは、デナトニウムベンゾエイトを少なくとも含むことを第１の要旨とし、顔料と樹脂とグリセリンと水と苦味催吐剤としてデナトニウムサッカライド、或いは、デナトニウムベンゾエイトを少なくとも含むことを第２の要旨とするものである。
【０００５】
描画材は、描画材自体で効果を奏する。本発明に係る描画材を口に含んだ際、描画材自体より受ける刺激によって催吐作用を示す為、誤飲・誤食自体が防止できる。描画材中、クレヨン・パスなどの所謂固形描画材は顔料、ワックス及び必要に応じてその他添加物よりなっている。顔料は、着色材として使用するものであって、従来公知の、酸化チタン、酸化亜鉛、カーボンブラック、鉄黒、アニリンブラック、ハンザイエロー、ベンジジンイエロー、タートラジンレーキ、パーマネントイエロートナー、カドミウムイエロー、ベンジジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッドＦ５Ｒ、同２Ｂ、同ＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マラカイトグリーンレーキ、ピグメントグリーンＢ、ビリジアン、シェンナー、アンバー、アルミニウム粉末、ブロンズ粉末、蛍光顔料など、無機顔料、有機顔料を問わず使用可能であって、単独又は２種以上混合して用いても良い。その使用量は顔料の種類によっても大きく異なるが、発色並びに描画特性を考慮すれば、固形描画材全量に対して３〜５０重量％が好ましい。
【０００６】
ワックスは固形描画材の塗布性を向上するために使用するものである。蜜ろう、鯨ろう、虫白ろう等の動物系ワックス、キャンデリラワックス、カルナウバワックス、木ろう等の植物系ワックス、モンタンワックス、オゾケライト等の鉱物系ワックス、パラフィンワックス、マイクロクリスタリンワックス等の石油系ワックスといった天然ワックスや、フィッシャートロプシュワックス、低分子量ポリエチレン及びこれらの誘導体、セチルアルコール、ステアリン酸、ポリエチレングリコールステアレート、カスターワックス等の合成ワックス等が挙げられる。これらのワックスは、単独でも２種以上適宣混合しても使用でき、その使用量は、固形描画材全量に対して５〜８０重量％が好ましい。
【０００７】
その他の添加材として、必要に応じて炭酸カルシウム、タルク、クレー、シリカ、硫酸バリウム等の体質顔料やポリエチレン、ポリプロピレン、ポリ塩化ビニル等の合成樹脂、更には、ジオクチルフタレート、流動パラフィン、スピンドル油などの液状油を固形描画材全量に対して３〜１５重量％用いたり、界面活性剤等の顔料の分散剤といったものを適宜使用することができる。
【０００８】
描画材中、ポスターカラー、水彩絵の具などの絵の具は、顔料、樹脂、溶剤（水）、湿潤剤（グリセリン）及び必要に応じてその他添加物からなっている。顔料は、上記固形描画材と同様、無機顔料、有機顔料を問わず使用可能であって、単独又は２種以上混合して用いても良い。その使用量は顔料の種類によっても大きく異なるが、発色並びに塗布性を考慮すれば、絵の具全量に対して１０〜５０重量％が好ましい。
【０００９】
樹脂は、定着剤及び展色材として使用するものであって、膠、アラビアゴム、デキストリン、カルボキシメチルセルロース、ヒドロキシエチルセルロース、ヒドロキシプロピルセルロース等の天然水溶性高分子、ポリビニルアルコール等の合成水溶性高分子といった水溶性高分子、ポリ（メタ）アクリル酸エステルエマルジョン等の水系水不溶性高分子を使用することができる。その使用量は絵の具全量に対して５〜２０重量％が好ましい。
【００１０】
湿潤剤は、凍結防止剤、再溶解性向上剤などとして使用するものである。
【００１１】
その他の添加剤として、必要に応じて炭酸カルシウム、硫酸バリウム、シリカ等の体質顔料や、界面活性剤、防腐剤、防徴剤、防錆剤、脱泡剤、消泡剤などを適宣用いることもできる。
【００１２】
本発明の骨子である催吐剤は、本発明に係る描画材の誤飲、誤食防止の為に使用するものであって、催吐剤としては、苦味催吐剤としてデナトニウムサッカライド、デナトニウムベンゾエイトが挙げられる。口に含んだ際の催吐作用の点では、苦味催吐剤が特に有効であると考えられる。
【００１３】
上記催吐剤は、描画材を製造するときに、上記各々の成分と混合し、従来知られている方法によって描画材に含有させることができる。例えば、絵の具の場合、上記成分を３本ロールミルや、横型ボールミル等の分散機にて混合分散することにより得ることができるし、固形描画材の場合、上記各成分を加熱撹拌混合し、また必要に応じてニーダー、ロールミル等の混練機で混練し、これを溶融状態で型に流し込み、射出、圧入又は押し出しし、冷却固化して得ることができる。
【００１４】
【作用】
本発明に係る描画材は、催吐剤を含有しているので、誤って又はふざけて口に含んだとき、その刺激によって無意識的に口から吐き出してしまう作用がある、その為、誤飲、誤食を防止できる。
【００１５】
【実施例】
実施例１（固形描画材）
ＭＴ−ＣＩ（カーボンブラック、コロンビヤンカーボン（株）製）        ３０重量部
パラフィンワックス１３０°Ｆ                                        ７０重量部
ＢＩＴＲＥＸ（デナトニウムベンゾエイト、英国、Ｍａｃｆａｒｌａｎ    Ｓｍｉｔｈ社製）                                                            ０．０５重量部
上記成分をヘンシェルミキサーで加熱混合し、溶融した後、冷却し、ペレット化したものを、成形機にて成形し、黒色の固形描画材を得た。
【００１６】
実施例２（固形描画材）
弁柄                                                                ２５重量部
カルナバワックス                                                    ４５重量部
ポリオキシエチレン（２０）セチルエーテル（括弧内の数値は、ポリオキシエチレンのモル数を示す）                                                        ３０重量部
ＢＩＴＲＥＸ（前述）                                              ０．１重量部
上記成分を加熱二本ロールで混練分散を行ない、型に流し込んで冷却し赤色の水溶性固形描画材を得た。
【００１７】
実施例３（固形描画材）
酸化チタン                                                            ２重量部
フタロシアニンブルー                                                １０重量部
カスターワックス                                                      ４重量部
１３０゜Ｆパラフィンワックス                                        １１重量部
ポリオキシエチレン（５０）オレイルエーテル                          ３５重量部
タルク                                                              ３０重量部
ステアリン酸                                                          ８重量部
ＢＩＴＲＥＸ（前述）                                              ０．１重量部
上記成分を実施例２と同様になして青色の水溶性固形描画材を得た。
【００１８】
実施例４（絵の具）
カーミン６Ｂ                                                        ２０重量部
アラビアガム                                                        １０重量部
グリセリン                                                            ５重量部
水                                                                  ４０重量部
ＢＩＴＲＥＸ（前述）                                              ０．５重量部
上記成分をラボミキサーに入れ１５分間撹拌した後、３本ロールミルにて２回通しを行い赤色の水彩絵の具を得た。
【００１９】
実施例５（絵の具）
カーミン６Ｂ（Ｃ．Ｉ．ピグメントレッド５７）                          ５重量部
アクリル酸エチル−メタクリル酸ブチルの共重合体エマルジョン    （固形分５０％）
３０重量部
グリセリン                                                            ５重量部
テトラヒドロパラオキサジン                                            １重量部
水                                                              ２６．５重量部
炭酸カルシウム                                                      ３２重量部
カルボキシルメチルセルロース                                      ０．５重量部
ＢＩＴＲＥＸ（前述）                                              ０．５重量部
上記成分を実施例４と同様になして赤色のアクリル絵の具を得た。
【００２０】
実施例６（固形描画材）
ＭＴ−ＣＩ（前述）                                                  ３０重量部
パラフィンワックス１３０°Ｆ                                        ７０重量部
Ｓｕｐｅｒ    Ｖｉｌｅｘ（前述）                                ０．０５重量部
上記成分をヘンシルミキサーで加熱混合し、溶融した後、冷却し、ペレット化したものを、押出し成形機にて棒状に成形し、所望の長さに切断して黒色の固形描画材を得た。
【００２１】
実施例７（固形描画材）
フタロシアニンブルー（Ｃ．Ｉ．ピグメントブルー１５）                １５重量部
Ｔ−１ワックス（前述）                                              ４０重量部
ひまし硬化油（前述）                                                ２０重量部
タルク（Ｃ．Ｉ．ピグメントホワイト２６）                            １５重量部
Ｓｕｐｅｒ    Ｖｉｌｅｘ（前述）                                ０．０５重量部
上記成分を実施例６と同様になして青色の固形描画材を得た。
【００２２】
実施例８（固形描画材）
カーミン６Ｂ（Ｃ．Ｉ．ピグメントレッド５７）                        １３重量部
Ｔ−１ワックス（前述）                                              ４０重量部
タルク（Ｃ．Ｉ．ピグメントホワイト２６）                            ２０重量部
流動パラフィン                                                      ２０重量部
Ｓｕｐｅｒ    Ｖｉｌｅｘ（前述）                                ０．０５重量部
上記成分を実施例６と同様になして赤色の固形描画材を得た。
【００２３】
実施例９（固形描画材）
弁柄（Ｃ．Ｉ．ピグメントレッド１０２）                              ２５重量部
カルナバワックス                                                    ４５重量部
ポリオキシエチレン（２０）セチルエーテル                            ３０重量部
Ｓｕｐｅｒ    Ｖｉｌｅｘ（前述）                                ０．０５重量部
上記成分を加熱二本ロールで混練分散を行ない、型に流し込んで冷却し赤色の水溶性固形描画材を得た。
【００２４】
実施例１０（固形描画材）
酸化チタン（Ｃ．Ｉ．ピグメントホワイト６）                            ２重量部
フタロシアニンブルー（Ｃ．Ｉ．ピグメントブルー１５）                １０重量部
カスターワックス                                                      ４重量部
パラフィンワックス１３０゜Ｆ                                        １１重量部
ポリオキシエチレン（５０）オレイルエーテル                          ３５重量部
タルク（Ｃ．Ｉ．ピグメントホワイト２６）                            ３０重量部
ステアリン酸                                                          ８重量部
Ｓｕｐｅｒ    Ｖｉｌｅｘ（前述）                                ０．０５重量部
上記成分を実施例９と同様になして青色の水溶性固形描画材を得た。
【００２５】
実施例１１（絵の具）
群青（Ｃ．Ｉ．ピグメントブルー２９）                                ４０重量部
デキストリン                                                        １０重量部
グリセリン                                                            ５重量部
水                                                              ３９．５重量部
Ｓｕｐｅｒ    Ｖｉｌｅｘ（前述）                                  ０．５重量部
上記成分をラボミキサーに入れ１５分間撹拌した後、３本ロールミルにて２回通しを行い青色の水彩絵の具を得た。
【００２６】
実施例１２（絵の具）
パーマネントレッドＦＲＬＬ（Ｃ．Ｉ．ピグメントレッド９）            ２０重量部
アラビアガム                                                        １０重量部
グリセリン                                                            ５重量部
水                                                              ３９．５重量部
Ｓｕｐｅｒ    Ｖｉｌｅｘ（前述）                                  ０．５重量部
上記成分を実施例１１と同様になして赤色の水彩絵の具を得た。
【００２７】
実施例１３（絵の具）
ハンザイエローＧ（Ｃ．Ｉ．ピグメントイエロー１）                    １０重量部
ポリアクリル酸エチルエマルジョン（固形分５０％）                    ２０重量部
グリセリン                                                            ５重量部
水                                                              ２３．５重量部
炭酸カルシウム（Ｃ．Ｉ．ピグメントホワイト１８）                ３９．９重量部
ヒドロキシメチルセルロース                                        ０．５重量部
Ｓｕｐｅｒ    Ｖｉｌｅｘ（前述）                                  ０．１重量部
上記成分を実施例１１と同様になして黄色のアクリル絵の具を得た。
【００２８】
実施例１４（絵の具）
フタロシアニングリーン（Ｃ．Ｉ．ピグメントグリーン７）              １０重量部
アクリル酸エチル−メタクリル酸ブチルの共重合体エマルジョン（固形分５０％）
３０重量部
グリセリン                                                            ５重量部
テトラヒドロパラオキサジン                                            １重量部
水                                                              ２１．４重量部
炭酸カルシウム（Ｃ．Ｉ．ピグメントホワイト１８）                    ３２重量部
カルボキシルメチルセルロース                                      ０．５重量部
Ｓｕｐｅｒ    Ｖｉｌｅｘ（前述）                                  ０．１重量部
上記成分を実施例１１と同様になして緑色のアクリル絵の具を得た。
【００２９】
比較例１（固形描画材）
実施例７において、Ｓｕｐｅｒ    Ｖｉｌｅｘを除いた以外は、実施例７と同様になして青色の固形描画材を得た。
【００３０】
比較例２（絵の具）
実施例１１において、Ｓｕｐｅｒ    Ｖｉｌｅｘを除いた以外は、実施例１１と同様になして青色の水彩絵の具を得た。
【００３１】
上記、実施例１〜１４、比較例１、２で得た描画材について催吐性試験を行った。催吐性試験：実施例１〜１４、及び比較例１、２で得た描画材については、描画材自体をなめる官能試験を行った（１０人で試験を行った）。
【００３２】
結果、実施例１〜１４については全ての人が即座に吐き出したが、比較例１、２については誰も吐き出さなかった。
【００３３】
また、本発明で使用する催吐剤は、使用量が少なくとも十分に催吐作用を示す為、描画材の発色の妨げになることもない。これは、催吐剤の一種であるデナトニウムサッカライドの有無以外は同等である実施例７と比較例１との色差が０．５であり、実施例１１と比較例２との色差が０．２であったことからも明らかである。尚、色差は、カラーコンピュータ（ＳＭ−４、スガ試験機（株）製）を用いて測定したものであり、値が１．５以下（単位：ＮＢＳ）の場合、色に差がないと判断出来る。
【００３４】
【発明の効果】
以上詳細に説明したように、本発明に係わる描画材は、誤って口に含んでも苦みを感じ、口から吐き出してしまう為、誤飲、誤食を防止できる。